(57)【要約】      （修正有）【課題】玩具銃本体の形を崩さずに、火薬を使用して音や火花、硝煙、さらには反動まで楽しめ、かつ弾も発射できる空気銃やガス銃を提供する。【解決手段】銃身部（アウターバレル）Ａの内部構造は２層式とし、２の空間を作り、１つの空間はＭＧキャップなどのモデルガン用紙火薬を使用した、射撃操作時に発生する火花や硝煙の通り道として利用し、もう１つの空間は４・５ｍｍＢＢ弾又はパレット弾を発射するためのインナーバレルＢの取り付け空間として利用する。さらに、２層式アウターバレルＡを採用した玩具銃に使用するカートリッジＩも内径空間を２層式とし、１つの空間はＭＧキャップなどのモデルガン用紙火薬を詰める空間として使用し、もう１つの空間を４．５ｍｍＢＢ弾又はパレット弾を装填する、数本のらせん状溝を掘った中空構造空間とする。【選択図】図１
2011102689.tif 000002
【特許請求の範囲】
【請求項１】
２層式アウターバレルは玩具銃の銃身内部を２分化し、半分の空間を市販されているＭＧキャップなどのモデルガン用紙火薬の火花や硝煙を通す空間にし、他半分の空間は市販されている４・５ｍｍＢＢ弾又は市販されているパレット弾を発射するインナーバレルを取り付けるための空間とした。これにより、発火機能の付いた空気銃及びガス銃を作り出すことができます。
【請求項２】
２層式カートリッジはカートリッジ本体を２層に分け、半分の空間は市販されているＭＧキャップなどのモデルガン用紙火薬を挿入するための空間とし、もう他半分の空間は市販されている４．５ｍｍＢＢ弾又は市販されているパレット弾を装填するための円筒形の空間とした。これにより、２層式アウターバレルと２層式カートリッジをセットで使用することで、発火機能付き空気銃及びガス銃を作り出すことができます。
【請求項３】
また、２層式カートリッジの外型は正６角形をしており、パレット弾を装填するカートリッジの円筒形空間の内径には数本の、ライフリングと呼ばれるらせん状の細い溝が付けられており、パレット弾を発射する際の直進性を向上させる効果をもっています。外型を６角形にした理由はチェンバーにカートリッジを送り込む際、カートリッジ自体が回転などを起こし、装填不良を起こさないためとマガジンと呼ばれる弾倉にカートリッジを装填する際、ダブルカーラムでの装填を可能にするためです。
【発明の詳細な説明】
【技術分野】
【０００１】本考案は玩具銃産業における、玩具銃本体の内部構造を革新的、かつ斬新に改良することによって、よりリアルな玩具銃の開発に寄与できると考えています。
【背景技術】
【０００２】現在、日本国内において玩具銃産業では２種類の異なる構造をもつ玩具銃があります。１つは一般的にモデルガンと呼ばれている商品で弾は飛び出ず、ＭＧキャップなどのモデルガン用紙火薬をカートリッジに詰め、装填して引金を引くとハンマーがカートリッジ底部を叩き、火花や硝煙、轟音、反動を発生させるという、実銃を模したレプリカモデルです。もう１つは圧縮空気や圧縮ガスを使ってＢＢ弾と呼ばれるプラスチック製の球形弾を銃身部（アウターバレル）から発射できる仕組みをもつ空気銃又はガス銃と呼ばれている商品がありますが、この空気銃やガス銃は弾は発射できますが、火薬は使えないので火花や音や硝煙、火薬による反動は発生しない仕組みなのです。
本考案では従来のモデルガンの機能である、火薬を使用して音や火花、硝煙、反動を楽しめる、という特徴と弾を発射できる、という機能をもつ空気銃やガス銃の特徴、この２つの特徴を兼ね備えた、全く新しい玩具銃を開発しました。
【発明の開示】
【発明が解決しようとする課題】
【０００３】現在、市販されているモデルガンは火花や音はでるが、弾は発射できません。また、市販されている空気銃やガス銃は弾は発射できるが、火花や音はでません。なんとか銃本体の形を崩さずに、火薬を使用して音や火花、硝煙、さらには反動まで楽しめ、かつ弾も発射できる空気銃やガス銃を商品化したい、ということが課題でした。
【課題を解決するための手段】
【０００４】  玩具銃本体の形状や機構、内部構造を大きく変更せずに火薬を使用して音や火花、硝煙、反動を楽しめ、かつ弾も発射できる空気銃やガス銃をつくる唯一有効な手段は銃身部（アウターバレル）を２層に分けることとカートリッジ本体内部もそれに伴って２層に区分することであると考えました。
【発明の効果】
【０００５】現行のモデルガンについて材質は金属製（亜鉛ダイカスト）又はＡＢＳ樹脂製で重量感はあるものの金属製のモデルガンは銃本体色はゴールドで銃身部は先端まで閉塞されていて弾も発射できない機構になっています。唯一の魅力はＭＧキャップなどのモデルガン用紙火薬を使用することで、『パン！』という音や火花、硝煙や反動を楽しむことができることですが、人気は今ひとつです。製造メーカー各社ともにモデルガンの売上は減少傾向にあるといえます。現行の空気銃及びガス銃については銃本体の形状はとてもリアルで、ある程度の重量感もあり、発射機能ももっているが、発射パワーソースに圧縮空気や圧縮ガスを用いているため、ＢＢ弾を発射させると「プス！」という全く迫力のない、小さな音しか出ず、魅力も半減している状況です。
本考案を採用することによって発火機能をもち、かつ発射機能ももつ画期的で新しい玩具銃を生み出すことができます。これにより日本国内はもとより韓国や台湾などでも広く取り扱われ、玩具銃業界における販売市場の主流になると考えています。
【発明を実施するための最良の形態】
【０００６】もっとも重要なことは本考案を採用する玩具銃は銃本体の大きさ、形状、色、触感、及び重量感が実銃に酷似していなければならないということです。そうでなければ商品価値は半減してしまうのです。さらに、玩具銃本体を簡易分解した時、その各パーツが実銃を分解した時の各パーツに酷似していること、そして実銃と同じ操作方法であり、機構であることも重要です。これらを考慮すると、本考案を採用した玩具銃本体を構成する材質はヘビーウェイトプラスチックス樹脂が最適であり、銃身部（アウターバレル）の内部構造は２層式とし、２つの空間を作り、１つの空間はＭＧキャップなどのモデルガン用紙火薬を使用した、射撃操作時に発生する火花や硝煙の通り道として利用し、もう１つの空間は４・５ｍｍＢＢ弾又はパレット弾を発射するためのインナーバレルの取り付け空間として利用することが最適であると考えます。さらに、２層式アウターバレルを採用した玩具銃に使用するカートリッジの内部構造についてもカートリッジの内径空間を２層式とし、１つの空間はＭＧキャップなどのモデルガン用紙火薬を詰める空間として使用し、もう１つの空間を４．５ｍｍＢＢ弾又はパレット弾を装填する中空構造空間としました。このような構造・形状にすることによって実銃の構造・レスポンスにより酷似した玩具銃を作り出すことができるのです。
【実施例１】
【０００７】現在、日本国内で市販されている玩具銃として代表的なモデルにハンドガンがあり、このハンドガンにはリボルバーとオートマチックという２種類のタイプがあります。本考案をこのリボルバータイプに採用しました。リボルバー銃の銃身内部を２層式とし、また、シリンダーと呼ばれている回転式弾倉部に装填するカートリッジの内径空間も２層式としました。
【実施例２】
【０００８】本考案をオートマチックタイプに採用しました。オートマチック銃の銃身部（アウターバレル）を２層式とし、また、マガジンと呼ばれている弾倉部に装填するカートリッジの内径空間も２層式としました。
【産業上利用の可能性】
【０００９】現在、日本国内で市販されている玩具銃としては実施例の中で記述したモデル以外に大きく分けると、ライフル、マシンガン、ショットガン、サブマシンガン、グレネードランチャーなどがありますが、本考案は上記すべての玩具銃について採用することが可能です。
【図面の簡単な説明】
【図１】図１は本考案である２層式アウターバレル及び２層式カートリッジを玩具銃の中のオートマチックピストルに採用した場合の斜視図です。
【図２】図２は本考案である２層式アウターバレルの平面図を示しています。
【図３】図３は２層式アウターバレルの断面図を示しています。
【図４】図４は本考案である２層式カートリッジの平面図を示しています。
【図５】図５は２層式カートリッジの断面図を示しており、下の斜線の丸形は円柱型に貫通していることを表しています。
【符号の説明】Ａ：    アウターバレル
Ｂ：    インナーバレル
Ｃ：    インサート
Ｄ：    ＭＧキャップ受け
Ｅ：    チェンバー
Ｆ：    トリガー
Ｇ：    ハンマー
Ｈ：    マガジン
Ｉ：    オートマチック用正６角形カートリッジ
Ｊ：    Ｏリング
Ｋ：    ライフリング
【図１】
2011102689.tif 000003
【図２】
2011102689.tif 000004
【図３】
2011102689.tif 000005
【図４】
2011102689.tif 000006
【図５】
2011102689.tif 000007